(57)【要約】【課題】物理書籍内の所望する語句を迅速に検索し、著作権上妥当な引用箇所を電子データとして取得できるシステムを提供する。【解決手段】固有の書籍識別符号により物理書籍を識別し、指定された頁位置の電子データを端末に表示させる機能と、端末に入力された検索条件に従い物理書籍の電子データを検索し検索条件に合致する頁に切り替えて表示する機能と、端末に表示された頁の領域を指定することで引用範囲を特定できる機能と、引用の妥当性を判定する機能と、引用妥当と判断された領域の電子データを利用者が処理可能な形かつダウンロード可能な様式に変換する機能と、通信ネットワークを通じて当該データを端末にダウンロードさせる機能を有するシステムである。【選択図】図３
2007164538.tif 000002
【特許請求の範囲】
【請求項１】
物理書籍の電子データを通信ネットワークを介して端末へ提供するサーバを設けたシステムにおいて、
前記物理書籍には固有の書籍識別符号が割り当てられると共に該物理書籍の各頁には該物理書籍内での頁位置を識別する頁識別電子化符号が印刷されており、かつ
前記サーバが、
前記物理書籍の前記書籍識別符号と該物理書籍の電子データとを関連付けると共に、該電子データを該物理書籍における各頁位置毎に取得可能に格納した書籍情報データベースと、
前記物理書籍の前記書籍識別符号と該物理書籍から読み取られた前記頁識別電子化符号とを前記端末から受信することに応じて、該書籍識別符号及び該頁識別電子化符号に基づいて前記書籍情報データベースを参照し、該当する頁の電子データを取得する手段と、
取得した前記該当する頁の電子データを前記端末に送信し表示させる手段とを有することを特徴とする物理書籍の電子データ提供システム。
【発明の詳細な説明】
【技術分野】
【０００１】
本発明は、印刷物である書籍等の取得者に対し、取得した当該書籍等に関して通信ネットワーク経由でインタラクティブな電子データ参照環境を提供するシステムに関する。
【背景技術】
【０００２】
従来からの印刷物である書籍等による情報提供や販売の形態に加え、近年では放送や通信ネットワークを含めた電子情報伝達媒体による情報提供や販売の形態も普及してきている。さらに、印刷物である書籍等と同じ内容を電子データ化してＣＤ−ＲＯＭ等の電子データ記憶媒体に記憶し、当該電子データ記憶媒体を、当該書籍等と別個に有償もしくは無償にて提供されている。
また、特許文献１には、書籍に関連する電子情報を通信ネットワークを介して当該書籍の取得者に提供するシステムが開示されている。
【特許文献１】特開２００２−３５２００２号公報
【特許文献２】特表２００３−５１１７６号公報
【発明の開示】
【発明が解決しようとする課題】
【０００３】
物理的実体をもつ印刷物である書籍等（以下、「物理書籍」と称する）の場合、目次やインデックスによる頁参照もしくは、栞等を挟んでおくことによる部分的なランダム参照がある程度可能ではある。しかしながら、物理書籍中の全ての語、センテンスまたは文等がインデックスとなっているわけではなく、また当初よりインデックスの無い物理書籍も多数ある。従って、物理書籍中から所望する語やセンテンス等のある箇所を探すには、殆どの場合は、頁を順に目視しながら探すより手立てが無く時間がかかる。
【０００４】
また、興味を引いた頁に栞や付箋等をはさむ行為が広く行われているが、栞等を貼ることで栞等に隠れた部分の参照性が低下し、また栞等が多数となった場合はそれを見分けることも難しくなり作業的にも煩雑である。また、該当する箇所に線引き等を行うマーキングも広く行われているが、物理書籍の紙面が汚れ、マーキングによりかえって読み難くなることも多々あるという問題がある。
【０００５】
さらにまた、物理書籍の内容の一部を引用して電子データ化したい場合、手入力するかイメージスキャナ等で読み取りそれを文字認識させる等の方法があるが、大量になると煩雑であり、文字認識が正確に行われない場合もある。いずれにしても直接的に電子データとして取り込むことはできない。
【０００６】
一方、ＣＤ−ＲＯＭに代表される電子データ記憶媒体で配布されたり、通信ネットワーク経由で提供されている電子データ化された仮想的な書籍等（以下、「電子書籍」と称する）の場合は、読み込みソフトウェアに用意されている検索機能や栞機能等により上術の問題の解決が試みられている。しかしながら、ＣＤ−ＲＯＭ等の場合は、別途購入する必要があり、またその読み込みに専用の装置が必要な場合もある。ネットワーク経由で提供される場合は、通信ネットワークへの接続環境が必要となり、物理書籍におけるような可搬性が得られない。またこれら媒体の多くはコピーが容易な媒体であるが、著作権保護のため、専用装置もしくはダウンロードしたコンピュータでしか読めない制限があったり、テキストデータとして取り出せない様な形式に細工された上で提供がなされているため、著作権上認められている程度の引用を行うことさえ容易にできない。特許文献１のシステムも、書籍に関連する電子情報を提供するのみであり本文の所望する箇所を電子データで提供することはできない。
【０００７】
上述の現状に鑑み、本発明では、物理書籍と電子書籍の相互の弱点を補完し合い利便性を併せ持った、物理書籍の電子データの提供システムを提供するものである。主として、次のような問題を解決することを目的とする。
・物理書籍の所望する語やセンテンス等を容易かつ速やかに参照できること。
・物理書籍から引用したい箇所を容易、正確かつ速やかに電子データとして、特にテキストデータとして取得できること。
・物理書籍を汚すことなく所望する箇所にマーキングでき、かつマーキングした箇所を速やかに参照できること。
・物理書籍と同じ内容の電子書籍を購入することなく当該物理書籍の電子データを取得でき、しかも専用装置が不要であること。
・著作権上認められている程度の妥当な引用の程度を確保すること。
【課題を解決するための手段】
【０００８】
上記の目的を達成するべく本発明は、物理書籍と、通信ネットワーク並びにそのアクセス環境と、当該物理書籍の各頁への座標データ印刷とを組み合わせたシステムを提供する。
（１）請求項１に係る物理書籍の電子データ提供システムは、物理書籍の電子データを通信ネットワークを介して端末へ提供するサーバを設けたシステムにおいて、前記物理書籍には固有の書籍識別符号が割り当てられると共に該物理書籍の各頁には該物理書籍内での頁位置を識別する頁識別電子化符号が印刷されており、かつ前記サーバが、前記物理書籍の前記書籍識別符号と該物理書籍の電子データとを関連付けると共に、該電子データを該物理書籍における各頁位置毎に取得可能に格納した書籍情報データベースと、前記物理書籍の前記書籍識別符号と該物理書籍から読み取られた前記頁識別電子化符号とを前記端末から受信することに応じて、該書籍識別符号及び該頁識別電子化符号に基づいて前記書籍情報データベースを参照し、該当する頁の電子データを取得する手段と、取得した前記該当する頁の電子データを前記端末に送信し表示させる手段とを有することを特徴とする。
【０００９】
（２）物理書籍の電子データ提供システムは、前記サーバが、前記物理書籍における所与の頁に対応する前記電子データが前記端末に表示されている状態において、前記所与の頁とは別の頁の頁識別電子化符号を前記端末から受信することに応じて、該別の頁の頁識別電子化符号に基づいて前記書籍情報データベースを参照し、該当する別の頁の電子データを取得する手段と、取得した前記別の頁の電子データを前記端末に送信し表示させる手段とを有することを特徴とする。
【００１０】
（３）物理書籍の電子データ提供システムは、前記サーバが、前記物理書籍における所与の頁の前記電子データが前記端末に表示されている状態において、前記端末から頁めくり要求を受信することに応じて、前記書籍情報データベースから前記所与の頁の次の頁の電子データを取得する手段と、取得した前記次の頁の電子データを前記端末に送信し表示させる手段とを有することを特徴とする。
【００１１】
（４）物理書籍の電子データ提供システムは、前記サーバが、前記物理書籍の所与の頁の前記電子データが前記端末に表示されている状態において、前記端末から検索条件を含む検索要求を受信することに応じて、前記検索条件に基づいて前記書籍情報データベースを参照し、該検索条件に該当する頁の電子データを取得する手段と、取得した前記該当する頁の電子データを前記端末に送信し表示させる手段とを有することを特徴とする。
【００１２】
（５）物理書籍の電子データ提供システムは、前記サーバが、前記物理書籍の所与の頁の前記電子データが前記端末に表示されている状態において、前記端末から該表示された頁内の引用する領域を指定する引用領域指定データを含む引用要求を受信することに応じて、前記引用領域指定データに基づいて前記書籍情報データベースを参照し、該当する引用領域の電子データを取得する手段と、取得した前記引用領域の電子データを前記端末にダウンロード可能な形式に変換し記憶する手段と、
変換され記憶された前記引用領域の電子データを前記端末にダウンロードする手段とを有することを特徴とする。
【００１３】
（６）物理書籍の電子データ提供システムは、前記引用領域指定データが、前記端末において前記物理書籍に印刷された頁内座標識別情報を読み取り入力することにより得られることを特徴とする。
【００１４】
（７）物理書籍の電子データ提供システムは、前記サーバが、前記書籍識別符号と累積引用データ量とを関連付けて記憶する手段と、前記引用要求を受信することに応じて、前記書籍識別符号をキーとして前記累積引用データ量を取得し、該累積引用データ量に今回引用されたデータ量を加算し、加算後の総引用データ量が予め設定された想定引用データ量を超えたか否かを判断し、超えていなければ引用を許可し、超えていれば引用を拒絶する手段とを有することを特徴とする。
【００１５】
（８）物理書籍の電子データ提供システムは、前記サーバが、前記書籍識別符号を最新引用時間とを関連付けて記憶する手段と、前記引用要求を受信することに応じて、前記書籍識別符号をキーとして前記最新引用時間を取得し、該最新引用時間から現在日時時刻までの経過時間を算出し、算出された経過時間が予め設定された間隔を超えたか否かを判断し、超えていれば引用を許可し、超えていなければ引用を拒絶する手段とを有することを特徴とする。
【００１６】
（９）物理書籍の電子データ提供システムは、前記サーバが、前記書籍識別符号を引用回数とを関連付けて記憶する手段と、前記引用要求を受信することに応じて、前記書籍識別符号をキーとして前記引用回数を取得し、該引用回数に１回を加算し、加算後の引用回数が予め設定された引用回数を超えているか否かを判断し、超えていなければ引用を許可し、超えていれば引用を拒絶する手段とを有することを特徴とする。
【００１７】
（１０）物理書籍の電子データ提供システムは、前記サーバが、前記物理書籍の所与の頁の前記電子データが前記端末に表示されている状態において、前記端末から該表示された頁内のマーキングする領域を指定するマーキング領域指定データを含むマーキング要求を受信することに応じて、指定された領域をマーキングした状態で前記端末に表示させる手段と、前記書籍識別符号と関連付けて該マーキングした領域に係るマーキング情報を記憶する手段と、前記端末からのマーキング情報呼出要求を受信することに応じて、前記書籍識別符号をキーとして前記マーキング情報を取得する手段と、取得した前記マーキング情報に基づいてマーキング領域を含む頁を前記端末に送信し表示させる手段とを有することを特徴とする。
【００１８】
（１１）物理書籍の電子データ提供システムは、前記マーキング領域指定データが、前記端末において前記物理書籍に印刷された頁内座標識別情報を読み取り入力することにより得られることを特徴とする。
【００１９】
（１２）物理書籍の電子データ提供システムは、前記サーバが、前記物理書籍の所与の頁の前記電子データが前記端末に表示されている状態において、前記端末から栞貼付要求を受信することに応じて、前記書籍識別符号と関連付けて該表示されている頁を栞頁としてその頁位置を記憶する手段と、前記端末からの前記栞頁呼出要求を受信することに応じて、前記書籍識別符号をキーとして前記栞頁の頁位置を取得する手段と、取得した前記頁位置に基づいて該当する頁の電子データを前記端末に送信し表示させる手段とを有することを特徴とする。
【００２０】
（１３）物理書籍の電子データ提供システムは、前記物理書籍上に印刷された頁識別電子化符号がバーコードまたはアノト式座標であることを特徴とする。
【００２１】
（１４）物理書籍の電子データ提供システムは、前記物理書籍上に印刷された頁内座標識別情報がバーコードまたはアノト式座標であることを特徴とする。
【発明の効果】
【００２２】
請求項１に係るシステムでは、通信ネットワークを介して物理書籍の書籍識別符号とその各頁の頁識別電子化符号を受信し、それらに基づいて該当する頁の電子データを端末へ送信表示させることにより、物理書籍と同じ内容の電子書籍を購入することなく、当該物理書籍の電子データを取得できる。また端末は汎用的なコンピュータでよいので、物理書籍の電子データを読み込み表示するための専用装置は不要である。
【発明を実施するための最良の形態】
【００２３】
以下図面を参照しながら、本発明にかかる物理書籍の電子データ提供システムの実施形態について説明する。
図１は、各物理書籍を一意に識別できるように固有に割り当てられた識別符号（以下、「書籍識別符号」と称す）を、当該物理書籍の取得者（すなわち本システムの利用者、以下「利用者」と称す）へ与えるフローを模式的に示す図である。図１では、物理書籍１０の購入時に書式識別符号２０を利用者３０に配布する例を示している。利用者３０は、書店で物理書籍１０を購入し代金を支払う。その際に書籍識別符号２０を付与される。図１に示した例以外にも、専用の申し込み手順により後日通知する等の方式により利用者に知らしめることが可能である。
【００２４】
いずれの方式においても、物理書籍１０の正当な購入者であるところの利用者３０だけに書籍識別符号２０を通知できればよい。また、書籍識別符号２０については、人が認識できる文字、数字、記号またはこれらの組み合わせ等でもよいが、これに限定されず、人が認識できない一次元や二次元バーコード等、読取及び解読のための専用装置または専用ソフトウェアにより読み取り入力するものでもよい。
【００２５】
図２は、物理書籍１０を開いた状態の左右両頁を概略的に示す図である。物理書籍１０の各頁には、物理書籍１０内におけるその頁位置（すなわち頁番号）を電子的に識別できるように、頁番号の数字または縦横のロケーションを示すバーコード等の頁識別電子化符号１１を印刷しておく。
【００２６】
さらに、アノト式座標（特許文献２参照）に代表される座標を示す頁内座標識別情報１２を物理書籍１０の各頁に印刷しておいてもよい。これを用いて各頁内における位置情報（頁内座標）を入力することができる。
【００２７】
図３は、通信ネットワークを介しての本システムによるサービス全体を表す構成図である。端末１００は、通信ネットワーク２００を介してサーバ３００との間でデータ授受を行うことができる。通信ネットワーク２００は例えばインターネットである。端末１００は、通信ネットワーク２００への接続手段（通信装置及び通信制御ソフトウェア）を具備する。例えば、モデムやルーター及びブラウザ等である。また、図２に示した物理書籍１０に付された頁識別電子化符号１１及び頁内座標識別情報１２を読み取り解読するための入力ペン等及びキーボード等の情報入力手段１０１及び関連するソフトウェアを導入されている。さらに、サーバ３００とのインタラクティブなデータ授受をモニタリングするための表示装置等の情報出力手段１０２を具備する。
【００２８】
サーバ３００は、本システムによるサービス提供のための種々の機能を具備する。例えば、主要なものとして頁替機能３０１、栞機能３０２、マーカー機能３０３、引用機能３０４がある。これらの各機能は適宜のプログラムにより実現される。各機能により実行される処理フローについては後述する。さらに、サーバ３００は、本システムに必要ないくつかのデータベースを具備する。書籍情報データベース３１０には、各物理書籍の書籍識別符号と関連付けられてその物理書籍の内容の電子データが格納されており、１つは印刷された内容である本文の画像データ３１１であり、もう１つは本文のテキストデータ３１２である。また、画像データ３１１及びテキストデータ３１２はいずれも、物理書籍の各頁位置毎に電子データを取得可能に格納されている。すなわち、各頁の電子データは物理書籍における頁位置すなわち頁番号と関連付けられている。
【００２９】
書籍識別符号別情報データベース３２０は、各書籍識別符号毎に種々のデータ項目を格納したいくつかのテーブルから構成される。主要なものとして、最終表示頁テーブル３２１、栞頁テーブル３２２、マーキング位置・色テーブル３２３、累積引用量テーブル３２４、最新引用時間テーブル３２５、引用回数テーブル３２６がある。尚、書籍情報データベース３１０と書籍識別符号別情報データベース３２０とは、上記の各機能を実行する際に互いに関連付けられて制御される。詳細については後述する。
【００３０】
利用者は、取得した物理書籍に関して検索や引用等を含む電子参照を行うために本システムを利用する。その際、利用者はまず、端末１００を用いて通信ネットワーク２００を経由しサーバ３００に接続を試みる。サーバ３００は、例えばＷｅｂサーバ機能を具備し、本システムによるサービス提供を行うＷｅｂサイトを構築しており、端末１００はブラウザを用いてこのＷｅｂサイトのＵＲＬへアクセスする。サーバ３００は、端末１００からの接続開始要求を受けると、端末１００に対して書籍識別符号の入力を促すメッセージを送信する。
【００３１】
端末１００は、このメッセージを受信して表示装置等の情報出力手段１０２に表示する。書籍識別符号が文字や数字等の場合、利用者はキーボード等の情報入力手段１０１を用いて書籍識別符号をキー入力する。書籍識別符号がバーコード等の符号化された符号である場合は、専用の読み取り装置である情報入力手段１０１を用いて書籍識別符号を入力する。端末１００は、入力された書籍識別符号をサーバ３００へ送信することにより応答する。
【００３２】
サーバ３００は書籍識別符号を受信すると、これを検査し、不正もしくは当該書籍識別符号に関して現在既に接続中であれば接続を拒否する。サーバ３００は、処理対象とする各物理書籍とその書籍識別符号を関連付けて予め書籍情報データベース３１０に登録している。
【００３３】
以下の図４〜図１２の説明においては、図３中の符号を適宜用いる。
図４は、この書籍識別符号の検査処理フローを示す。ステップ４０１において、書籍識別符号が正しいか否かをデータベースを参照して検査する。書籍識別符号が書籍情報データベース３１０に登録されていれば正しいと判断し、ステップ４０２に進む。不正と判断された場合はステップ４０４において接続を拒否する。
【００３４】
次に、ステップ４０２において、サーバ３００はその書籍識別符号により他の利用者が接続中か否かを検査する。これは、例えば、接続中か否かを示すフラグがオンであるかオフであるかを参照することにより行うことができる。ステップ４０２において接続中と判断された場合は二重接続であり不正利用の可能性が考えられるため、ステップ４０４において接続を拒否する。ステップ４０２において未使用と判断された場合は、ステップ４０３において接続を許可し、その書籍識別符号が接続中であることを示すフラグをオンとする（アクセスが終了した際にはフラグをオフとする）。同時に端末１００に対してサービス画面を送信し情報出力手段１０２に表示させる。サービス画面上には、サーバ３００の提供する種々の機能を選択するためのメニューボタン等が設けられている。
【００３５】
サービス画面上には、例えば、指定された書籍の頁データを表示する領域が設けられ、その他に、図３に示すサーバ３００の機能３０１〜３０４のいずれかを利用者が要求する際に、その機能を選択するためのメニュー表示や、キーボードからの入力データの表示欄等が適宜設けられる。
【００３６】
サーバ３００は、書籍識別符号をキーとして書籍情報データベース３１０を参照して対応する物理書籍の内容である電子データにアクセスする。端末１００から送信された頁識別符号を受信すると、その頁識別符号をキーとしての該当する頁のデータ（機能によって画像データまたはテキストデータ）を取得し、端末１００に送信し、情報表示手段１０２に表示させる。
【００３７】
例えば、接続当初や端末１００からテキストデータの要求（例えば引用機能またはマーキング機能の利用）のない通常利用モードの場合は、画像データ３１１を端末１００に送信し表示させるようにしてもよい。画像データ３１１は、範囲参照による文字列取り出しができない様式であり、利用者は表示されたものを見たり読んだりするだけである。
【００３８】
またサーバ３００は、書籍識別符号をキーとして書籍識別符号別情報データベース３２０を検索し、最終表示頁テーブル３２１、栞頁テーブル３２２、マーキング位置・色テーブル３２３に初期値以外のデータが含まれていれば、それらに基づいて前回利用時の状況を再現してもよい。例えば、最終表示頁テーブル３２１に記憶された最新データに基づいてその頁データを送信し表示させる。また例えば、栞頁テーブル３２２に記憶されている有効な栞頁の頁位置に基づいて該当する頁データを送信し表示させる。また例えば、マーキング位置・色テーブル３２３に記憶されている有効なマーキング情報に基づいて該当する位置情報及び色情報を用いてマーキングを施した状態でその頁データを送信し表示させる。
【００３９】
図５は、通常利用モードでの利用者の利用状況を模式的に示す図である。一実施例では、まず、利用者がサービス画面において所望する頁番号を指示する（例えばキーボードから画面上の所定の入力部に数値を入力する）。あるいは、物理書籍１０に図２のようなバーコード等の符号化された頁識別電子符号１１を付されている場合は、図５のように読取装置１０１を用いて所望する頁の頁識別電子符号１１を読み取り、サービス画面１０２において頁位置を指示する。
【００４０】
あるいは、バーコードで座標位置を印刷した物理書籍である場合は、入力装置でバーコードを読ませることで頁識別電子化符号を取得し、これにより所望する頁位置を指示する。もしくはアノトペーパーに代表されるアノト方式座標が印刷された媒体を用いた書籍であれば入力装置で座標を読ませることで頁識別電子化符号を取得し、これにより所望する頁位置を指示する。これらの頁識別電子化符号のデータは、サーバに送信される。サーバは頁識別電子化符号を受信すると、該当する頁データを書籍情報データベース３１０から取得し、端末に送信し、頁データ１０３を表示させる。これは、通常のジャンプ機能である。
【００４１】
図３の頁替機能３０１については、例えば次の通り処理される。利用者がサービス画面において頁めくりを指示する（例えばサービス画面上の所定のメニューボタンをクリックする）と、頁めくり要求がサーバに送信される。サーバは頁めくり要求を受信すると、現在表示されている頁の次の頁位置における頁データを書籍情報データベース３１０から取得し、端末に送信し表示させる。これにより頁めくりが行われる。
【００４２】
ジャンプ機能の別の例では、画面に表示されたインデックス頁や目次頁からの該当頁選択によるジャンプを指示する（例えば、表示されたインデックス頁や目次頁における該当頁の箇所をクリックする）。これにより、指定された頁位置を含むジャンプ要求がサーバに送信される。サーバはジャンプ要求を受信すると、指定された頁データを書籍情報データベース３１０から取得し、端末に送信し表示させる。これにより、頁切り替えが行われる。
【００４３】
ジャンプ機能のさらに別の例では、物理書籍のインデックス頁や目次頁の頁識別電子化符号を読み取ると共に、そのインデックス頁や目次頁に印刷された各見出しや各項目の頁内座標識別情報を読み取り、サーバにジャンプ要求すると、サーバは頁識別電子化符号からその頁がインデックス頁や目次頁であることを判別し、かつ頁内座標識別情報から指定された頁位置を判別して、指定された頁データを書籍情報データベース３１０から取得し、端末に送信し表示させる。これにより、頁切り替えが行われる。
【００４４】
図３の栞機能３０２については、例えば次の通り処理される。端末１００のサービス画面に所与の頁データが表示されているとき、利用者が当該頁に栞を貼付する指示を行う（例えば、サービス画面上の所定のメニューボタンをクリックする）と、栞貼付要求がサーバに送信される。サーバ３００は、書籍識別符号別情報テーブル３２０の栞頁テーブル３２２内に、栞を貼付する頁（現在表示されている頁）の番号をその書籍識別符号に関連づけて記憶する。図６は、栞頁テーブル３２２の一例を示す図である。
【００４５】
その後、サービス画面において、利用者が栞頁の選択を指示する（例えば所定のメニューボタンをクリックする）と、端末１００から栞頁呼出要求がサーバに送信される。サーバは栞頁呼出要求を受信すると、書籍識別符号をキーとして栞頁テーブル３２２を参照し、記憶された栞頁の番号を取得し、当該頁データを書籍情報データベース３１０から取得して端末１００に送信し表示させる。複数の栞頁の番号を取得した場合は、それらを端末１００に送信して表示させ、利用者にいずれかの栞頁をさらに選択させ、その選択に応じて当該頁データを端末１００に送信し表示させる。なお、栞貼付要求の際、その栞にコメントを付与することにより複数の栞の各々を識別できるようにする構成も可能である。
なお、栞頁テーブル３２２に記憶されたデータは端末１００からの要求に応じてサーバ３００が削除できる。
【００４６】
図７は、サーバの検索機能の利用状況を示す。利用者が端末１００上のサービス画面１０２においてキーボード等の情報入力手段１０１を用いて画面上の入力データ表示欄１０４に検索条件（例えば「法隆寺」の語）を入力し、メニューボタン１０５をクリックして検索指示を行う。これにより、検索条件データを含む検索要求がサーバに送信される。検索要求を受信したサーバ３００は、図３の書籍情報データベース３１０のテキストデータ３１２を検索し、検索条件に該当する頁があればその頁データを端末１００に送信し、情報出力手段１０２を用いてその頁１０６を表示させる。これにより利用者は、所有する物理書籍のどの頁に検索条件に該当する文言等があるかを知ることができる。
【００４７】
図８は、図３に示すサーバ３００のマーカー機能３０３の利用状況を示す。マーカー機能を利用する場合には、図３の書籍情報データベース３１０から画面データ３１１ではなくテキストデータ３１２を取得してサービス画面１０２上に表示した状態で行う。テキストデータ３１２は、範囲参照による文字列取り出しができる様式である。画面データからテキストデータへの移行は、サーバ３００へ要求する（例えばメニューボタンでマーカー機能を選択する）ことにより行う。端末１００上のサービス画面１０２において、画面に表示されている頁のマーキングしたい部分１０７をキーボードやマウス等の情報入力手段１０１を用いて、矩形領域指定、頁指定、行指定、多点領域指定または図形領域指定によりマーキング領域を指定する。その後、サービス画面上のメニューボタン１０８をクリックする。これにより、マーキング領域指定データを含むマーキング要求がサーバへ送信される。マーキング要求を受信したサーバ３００は、その指定されたマーキング領域を他の領域と区別して表示させる（例えば、文字囲いや色文字等）ことでサービス画面１０２上でのマーキングを実現する。同時に、図８に例示するように、サーバ３００の書籍識別符号別情報テーブル３２０のマーキング位置・色テーブル３２３に、書籍識別符号と関連付けてマーキング情報が記憶される。マーキング情報は、マーキング領域の存在する頁番号、頁内座標及びマーキングの手法（文字囲い形状、色等）を含む。
【００４８】
その後、端末１００からサーバ３００に対して既存のマーキング情報の呼出要求をする（例えば、サービス画面上のメニューボタンをクリックする）。マーキング情報呼出要求に応じて、サーバ３００は、書籍識別符号をキーとしてマーキング位置・色テーブル３２３を参照し、取得したマーキング情報に含まれる頁番号に基づいて当該頁データを端末１００に送信し表示させる。表示させる際には記憶されていた頁内座標及びマーキング手法に従って当該領域にマーキングした状態で表示する。なお、端末１００のサービス画面上では当該頁にジャンプしたことになる。
【００４９】
なお、マーカー機能３０３におけるマーキング領域の指定は、上記のように端末１００のサービス画面上で指示する以外に、物理書籍に付された頁内座標識別情報を読み取ることにより行ってもよい。例えば、バーコードで座標位置を印刷した物理書籍である場合は入力装置でバーコードを読ませて座標を指定する。別の例では、アノトペーパーに代表される座標が印刷された媒体を用いた物理書籍であれば入力装置で座標を読ませて座標を指定することも可能である。
なお、マーキング位置・色テーブル３２３に記憶されたデータは端末１００からの要求に応じてサーバ３００が削除できる。
【００５０】
図９は、図３に示したサーバ３００の引用機能３０４の処理状況を示す構成図である。引用機能を利用する場合には、図３の書籍情報データベース３１０から画面データ３１１ではなくテキストデータ３１２を取得してサービス画面１０２上に表示した状態で行う。テキストデータ３１２は、範囲参照による文字列取り出しができる様式である。画面データからテキストデータへの移行は、サーバ３００へ要求する（例えばメニューボタンでマーカー機能を選択する）ことにより行う。利用者が端末１００のサービス画面１０２において、画面に表示されている頁の引用したい部分１１０を、矩形領域指定、頁指定、行指定、多点領域指定または図形領域指定により引用領域を指定し、メニューボタン１１０をクリックする。これにより、引用領域指定データを含む引用要求がサーバ３００へ送信される。引用要求を受信したサーバ３００は、書籍識別符号をキーとして書籍情報データベース３１０を参照して指定された引用領域に該当するテキストデータ３１２を取得し、その部分のテキストデータをダウンロード可能な形式に変換（引用機能３０４の処理の一部）し、引用情報ファイル３３０として記憶する。引用情報ファイル３３０は、端末１００からの要求に応じてダウンロードすることができる。
【００５１】
なお、引用機能３０４における引用領域の指定は、上記のように端末１００のサービス画面上で指示する以外に、物理書籍に付された頁内座標識別情報を読み取ることにより行ってもよい。例えば、バーコードで座標位置を印刷した物理書籍である場合は入力装置でバーコードを読ませて座標を指定する。別の例では、アノトペーパーに代表される座標が印刷された媒体を用いた物理書籍であれば入力装置で座標を読ませて座標を指定することも可能である。
【００５２】
また、引用機能３０４では、図１０〜図１２のフローで示す各処理を行ってもよく、またはこれらの処理の１または複数を組み合わせて行ってもよい。
図１０は、図３の書籍識別符号別情報データベース３２０の累積引用量テーブル３２４を用いた処理フローを示す。累積引用量テーブル３２４には、書籍識別符号と関連付けて過去の累積引用データ量が記憶されている。サーバ３００は、引用要求を受信すると、ステップ１００１において、書籍識別符号をキーとして累積引用量テーブル３２４を参照し、過去の累積引用データ量に今回引用データ量を加算し、総引用データ量を算出する。ステップ１００２において、総引用データ量が予め設定された想定引用データ量を超えたか否かを判断する。超えていなければ、ステップ１００３において引用要求を許可し、図９について説明した処理を実行する。超えていれば、ステップ１００４において引用要求を拒絶する。これにより、引用データ量の上限を適切に維持する。なお、ステップ１００１において算出された総引用データ量を、新たな過去の累積引用データ量とするように累積引用量テーブル３２４を更新する。
【００５３】
図１１は、図３の書籍識別符号別情報データベース３２０の最新引用時間テーブル３２５を用いた処理フローを示す。最新引用時間テーブル３２５には、書籍識別符号を関連付けて最新引用時間が記憶されている。サーバ３００は、引用要求を受信すると、ステップ１１０１において現在日時時刻と最新引用時間との経過時間を算出する。ステップ１１０２において経過時間が予め設定された想定時間を超えているか否かを判断する。超えていれば、ステップ１１０３において引用要求を許可し、図９について説明した処理を実行する。超えていなければ、ステップ１２０４において引用要求を拒絶する。これにより、引用機能の利用間隔を適切に維持する。なお、現在日時時刻を、新たな最新引用時間とするように最新引用時間テーブル３２５を更新する。
【００５４】
図１２は、図３の書籍識別符号別情報データベース３２０の引用回数テーブル３２５を用いた処理フローを示す。引用回数テーブル３２５には、書籍識別符号と関連付けて過去の引用回数が記憶されている。サーバ３００は、引用要求を受信すると、ステップ１２０１において書籍識別符号をキーとして累積引用回数テーブル３２４を参照し、過去の引用回数に１回を加算し、新たな引用回数を算出する。ステップ１２０２において、引用回数が予め設定された想定引用回数を超えたか否かを判断する。超えていなければ、ステップ１２０３において引用要求を許可し、図９について説明した処理を実行する。超えていれば、ステップ１２０４において引用要求を拒絶する。これにより、引用回数の上限を適切に維持する。なお、新たな引用回数により、引用回数テーブル３２５を更新する。
【図面の簡単な説明】
【００５５】
【図１】書店において利用者書籍識別番号を受け渡しを行う場合の概念図である。
【図２】書籍の各頁に頁位置を指し示すバーコードを付与した書籍の例である。
【図３】本発明にかかる書籍の電子情報の提供システムの実施形態を示すブロック図である。
【図４】書籍識別符号を用いてシステムにアクセスする場合の接続可否判定フローである。
【図５】書籍の各頁に頁番号を指し示すバーコードをスキャンすることで表示頁を切り替えるイメージ例である。
【図６】サーバ上に保存する栞データのレイアウト例である。
【図７】検索の画面例ならびに検索により画面に表示されるイメージと物理的書籍が相対していることを示す図である。
【図８】端末画面でのマーキング指示とサーバ内のデータ連携方式を示す図である。
【図９】端末画面からの引用指定とサーバ中のデータ処理の概念を示した図である。
【図１０】過去の引用量により引用の妥当性を判定するフローである。
【図１１】過去の引用日時により引用の妥当性を判定するフローである。
【図１２】過去の引用回数により引用の妥当性を判定するフローである。
【符号の説明】
【００５６】
１０  物理書籍
１１  頁識別電子化符号
１２  頁内座標識別情報
１００  端末
１０１  情報入力手段
１０２  情報出力手段
２００  通信ネットワーク
３００  サーバ
３０１  頁替機能
３０２  栞機能
３０３  マーカー機能
３０４  引用機能
３１０  書籍情報データベース
３１１  画像データ
３１２  テキストデータ
３２０  書籍識別符号別情報データベース
３２１  最終表示頁テーブル
３２２  栞頁テーブル
３２３  マーキング位置・色テーブル
３２４  累積引用量テーブル
３２５  最新引用時間テーブル
３２６  引用回数テーブル
３３０  引用情報ファイル
【図１】
2007164538.tif 000003
【図２】
2007164538.tif 000004
【図３】
2007164538.tif 000005
【図４】
2007164538.tif 000006
【図５】
2007164538.tif 000007
【図６】
2007164538.tif 000008
【図７】
2007164538.tif 000009
【図８】
2007164538.tif 000010
【図９】
2007164538.tif 000011
【図１０】
2007164538.tif 000012
【図１１】
2007164538.tif 000013
【図１２】
2007164538.tif 000014